(57)【特許請求の範囲】
【請求項１】
ガスタービンエンジンを備えるシステム（１００）であって、前記ガスタービンエンジンが、
第１のノズルの組（２１９）と、
第２のノズルの組（２０５）と、
第３のノズルの組（１２０）と、
燃焼器（１１８）と、
少なくとも圧縮の第１段及び圧縮の第２段を有する多段圧縮システム（２０２）を有する炭素捕捉システムと
を備えており、
第１、第２及び第３のいずれかのノズルの組が少なくとも１つの液体燃料ノズル（２１９）を含んでいて、第１、第２及び第３のいずれかのノズルの組が少なくとも１つのガス燃料ノズル（２０５）を含んでおり、
前記圧縮の第１段が、第１の動作モードに応じて、第１及び第２のノズルの組をパージするため第１の加圧流体ストリーム（２１４）を選択的に送るように構成されていて、
前記圧縮の第２段が、第２の動作モードに応じて、第３のノズルの組をパージするため第２の加圧流体ストリーム（２１６）を選択的に送るように構成されており、
第１及び第２の加圧流体ストリームが不燃性であって、大気中のＣＯ2濃度よりも高濃度のＣＯ2を含んでおり、第２の加圧流ストリームが第１の加圧流体ストリームよりも圧力が大きい、システム（１００）。
【請求項２】
前記燃焼器（１１８）が、第１のノズルの組（２１９）から液体燃料を受け取り、第２のノズルの組（２０５）から気体燃料を受け取るように配設及び配置されている、請求項１に記載のシステム。
【請求項３】
第１の加圧流体ストリーム（２１４）によって第１のノズルの組（２１９）及び第２のノズルの組（２０５）が冷却される、請求項１又は請求項２に記載のシステム。
【請求項４】
第１のノズルの組（２１９）が水噴射ノズル（２０６）を含む、請求項１乃至請求項３のいずれか１項に記載のシステム。
【請求項５】
第２のノズルの組（２０５）が気体燃料ノズル（２０５）を含む、請求項１乃至請求項４のいずれか１項に記載のシステム。
【請求項６】
第３のノズルの組（１２０）が霧化ノズル（１２０）を含む、請求項１乃至請求項５のいずれか１項に記載のシステム。
【請求項７】
前記多段圧縮システム（２０２）が１以上のバルブ（２０７）と流体連絡しており、前記１以上のバルブ（２０７）が、第１の加圧流体ストリーム（２１４）を第１のノズルの組（２１９）及び第２のノズルの組（２０５）に選択的に送り、第２の加圧流体ストリーム（２１６）を第３のノズルの組（１２０）に選択的に送るように構成されている、請求項１乃至請求項６のいずれか１項に記載のシステム。
【請求項８】
圧縮システム故障に応じてパージ流体の連続圧力供給源となるアキュームレータ（２１５）をさらに備える、請求項７に記載のシステム。
【請求項９】
連続圧力によって、燃焼器（１１８）と流体連絡するガスタービンからの燃焼生成物の逆流が防止され、前記燃焼器（１１８）は、第２のノズルの組（２０５）から気体燃料を受け取り、第１のノズルの組（２１９）から液体燃料を受け取るように配設及び配置されている、請求項８に記載のシステム。
【請求項１０】
第１の加圧流体ストリーム（２１４）が前記アキュームレータ（２１５）を通して送られる、請求項９に記載のシステム。
【請求項１１】
第１の加圧流体ストリームがＣＯ2からなる、請求項１乃至請求項１０のいずれか１項に記載のシステム。
【請求項１２】
前記圧縮の第１段及び圧縮の第２段が、多段圧縮機（２０２）及び中間冷却器によって分離されている、請求項１乃至請求項１１のいずれか１項に記載のシステム。
【請求項１３】
ガスタービンエンジンを備えるシステムであって、前記ガスタービンエンジンが、
第１のノズルの組（２１９）と、
第２のノズルの組（２０５）と、
第３のノズルの組（１２０）と、
燃焼器（１１８）と、
多段圧縮システム（２０２）を有する炭素捕捉システムであって、前記多段圧縮システム（２０２）が圧縮の第１段及び圧縮の第２段を有する、炭素捕捉システムと
を備えており、
第１、第２及び第３のいずれかのノズルの組が少なくとも１つの液体燃料ノズル（２１９）を含んでいて、第１、第２及び第３のいずれかのノズルの組が少なくとも１つのガス燃料ノズル（２０５）を含んでおり、
前記圧縮の第１段が、前記炭素捕捉システムから第１のＣＯ2ストリームを受け取って、第１のＣＯ2ストリームをパージのため第１及び第２のノズルの組に送るように構成されていて、
前記圧縮の第２段が、第２のＣＯ2ストリームを受け取って、第２のＣＯ2ストリームをパージのため第３のノズルの組に送るように構成されており、
第１及び第２のＣＯ2ストリームが大気中のＣＯ2濃度よりも高濃度のＣＯ2を含んでおり、第２のＣＯ2ストリームが第１のＣＯ2ストリームよりも圧力が大きい、システム。
【請求項１４】
燃焼器（１１８）と流体連絡するガスタービンをさらに備え、前記燃焼器（１１８）が、第２のノズルの組（２０５）から気体燃料を受け取り、第１のノズルの組（２１９）から液体燃料を受け取るように配設及び配置されている、請求項１３に記載のシステム。
【発明の詳細な説明】
【技術分野】
【０００１】
本発明は、ノズルを有するパージシステム及び液体燃料霧化システム、ノズルを有するパージシステム及び液体燃料霧化システムを備えるシステム、並びにノズルをパージし燃料を霧化（アトマイジング）する方法に関する。より具体的には、本発明は、多段圧縮システムを用いてノズルをパージし液体燃料を霧化するシステム及び方法に関する。
【背景技術】
【０００２】
環境及びエネルギー関連の施策、規則、法律及び条約は、炭素放出に対処し続けている。炭素放出がより頻繁にモニタリングされ続けているため、炭素捕捉及び隔離は、何らかの将来の温室効果ガス遵守計画の要素となる可能性がある。
【０００３】
天然ガス及びガス化複合発電システム（ＩＧＣＣシステムとしても知られている）では、ＣＯ2を大気圧又はわずかに高い圧力で分離する。分離したＣＯ2は次に、圧縮捕捉して、深層オイル注入による石油増進回収用に利用できる高加圧ＣＯ2とすることができる。公知の有害な環境又はエネルギー効果を実質的に含んでいないＣＯ2の付加的な供給源も望ましい。
【０００４】
産業用ガスタービンは多くの場合に、二者択一的に液体及び気体燃料（たとえば、天然ガス）を燃料とすることができる。これらのガスタービンでは、液体及び気体燃料の両方に対して燃料供給システムがある。ガスタービンでは一般的に、ガス及び液体燃料の両方を同時に燃焼させることはない。逆に、ガスタービンで液体燃料を燃焼させるときには、気体燃料供給は止められる。同様に、ガスタービンで気体燃料を燃焼させるときには、液体燃料供給は止められる。ガスタービンの動作中に燃料移送が、燃料供給を液体燃料から気体燃料へ切り換えるときに起こり、逆もまた同様である。
【０００５】
液体及び気体燃料の両方を燃焼させるガスタービンでは、燃焼器内の燃料ノズルの障害物を取り除くために燃料パージシステムが必要である。ガスタービンが気体燃料で動作するときに、液体燃料供給システムは止められる。液体燃料システムが止められると、パージシステムが動作して、燃焼器のノズルから任意の残存する液体燃料を流し出し、またノズルに連続冷却空気流を与える。図１に示すように、公知のパージシステム１００では、ガスタービン圧縮機又は別個の専用パージ空気圧縮機１０３の放出からの加圧空気によって、霧化空気通路、液体燃料ノズル及び水噴射ノズルの障害物が取り除かれる。液体燃料動作中は、霧化空気圧縮機１０１によって、液体燃料霧化に対するパージ空気の圧力がさらに高められる。同様に、ガスタービンが液体燃料で動作するときに、気体燃料供給システムは止められる。気体燃料供給システムが止められると、パージシステム１００が動作して、燃焼器の気体燃料ノズルから任意の残存する気体燃料を流し出し、またノズルに連続冷却空気流を与える。
【先行技術文献】
【特許文献】
【０００６】
【特許文献１】米国特許第６，４３８，９６３号明細書
【発明の概要】
【発明が解決しようとする課題】
【０００７】
ＣＯ2を用いることができるパージシステム、パージシステムを備えるシステム並びにパージ方法があれば、当該技術分野において望ましいであろう。
【課題を解決するための手段】
【０００８】
実施形態によれば、システムは、第１のノズルの組と、第２のノズルの組と、第３のノズルの組と、少なくとも第１段及び第２段を有する多段圧縮システムとを備えている。第１段は、第１の加圧流体ストリームを第１のノズルの組及び第２のノズルの組へ選択的に送るように構成されている。第２段は、第２の加圧流体ストリームを第３のノズルの組へ選択的に送るように構成されている。
【０００９】
別の実施形態によれば、パージシステムは、第１のノズルの組と、第２のノズルの組と、第３のノズルの組と、多段圧縮システムを有する炭素捕捉システムとを備えている。多段圧縮システムは少なくとも第１段及び第２段を有している。第１段は、炭素捕捉システムから第１のＣＯ2ストリームを受け取って、第１のＣＯ2を第１のノズルの組及び第２のノズルの組へ送るように構成されている。第２段は、第２のＣＯ2ストリームを受け取って、加圧ＣＯ2を第３のノズルの組へ送るように構成されている。第２のＣＯ2ストリームは、第１のＣＯ2ストリームよりも圧力が大きい。
【００１０】
別の実施形態によれば、パージシステムは、第１、第２及び第３のノズルの組を備えている。本システムは、第１の加圧流体ストリームを第１のノズルの組及び第２のノズルの組へ、多段圧縮システムの第１段から選択的に送るように構成されている。加えて、本システムは、第２の加圧流体ストリームを第３のノズルの組へ、多段圧縮システムの第２段から選択的に送るように構成されている。
【００１１】
本発明の他の特徴及び利点は、以下の好ましい実施形態のより詳細な説明を添付図面とともに参照することによって明らかとなる。添付図面では、一例として、本発明の原理を例示する。
【図面の簡単な説明】
【００１２】
【図１】発電システム内のガスタービンによってパージストリームが与えられる従来技術のパージングシステムを概略的に示す図である。
【図２】開示内容による典型的なシステムを概略的に示す図である。
【図３】開示内容による典型的なシステムを概略的に示す図である。
【００１３】
可能な限り、図面の全体に渡って同じ参照番号を用いて同じ部品を表わす。
【発明を実施するための形態】
【００１４】
ＣＯ2を用いることができるパージシステム及び液体燃料霧化システム、パージシステム及び液体燃料霧化システムを備えるシステム、並びにパージ方法及び液体燃料霧化方法が提供される。開示内容によるパージシステム及び液体燃料霧化システムは、多段圧縮システムとともに動作するように構成されたノズルを備えている。本開示の実施形態では、気体燃料もしくは液体燃料及び／又は水を流し出す一方で、燃焼材料の逆流を低減又は解消し、１以上のノズルの連続冷却をもたらし、ガスタービン圧縮機及び霧化空気圧縮機を用いることなく空気を霧化し、加圧ストリームを得るための多段圧縮システムを用いることによって効率を向上させ、システムの構成部品たとえば霧化空気圧縮機又はパージ空気圧縮機をなくすことによってコストを下げ、及び／又はＣＯ2の添加によってガスタービン中の膨張性フローを増加させ、その結果、ガスタービン出力を増加させることによって性能を増加させる。
【００１５】
図２に、発電システムとともに用いるための典型的なパージシステム２００を概略的に示す。典型的なパージシステム２００は、液体燃料システム１０２、気体燃料システム２０３、並びに加圧流体を液体燃料システム１０２及び／又は気体燃料システム２０３へ送るための多段圧縮システム２０２を備えている。パージシステム２００は、発電システム及び／又は炭素捕捉システムとともに用いるように構成されている。一実施形態では、発電システムは、ガスタービン、燃焼器、コントローラ及び／又は任意の他の好適な構成部品を備えている。ガスタービンは、単純又は複合サイクルシステムの一部とすることができる。
【００１６】
燃焼器は、燃焼室（たとえば、缶）の環状アレイであって、各燃焼室は、少なくとも１以上の液体燃料ノズルの組２１９、液体燃料システム１０２に接続された少なくとも１以上の霧化ノズルの組１２０、及び少なくとも、気体燃料システム２０３に接続された気体燃料ノズル２０５を備える、燃焼室の環状アレイとすることができる。燃焼は、缶内のノズル１２０、２０５及び２０３のわずかに下流の地点で開始される。空気が缶の周囲及び内部を通って流れて、燃焼用及び冷却用の酸素を与える。また、水噴射ノズル２０６が、液体燃料動作中のＮＯx排出を減らすために燃焼器内に配設されている。燃焼器はガスタービンと流体連絡している。
【００１７】
燃焼器が液体燃料を燃焼するとき、気体燃料システム２０３は動作しておらず、液体燃料システム１０２のパージングは、１以上のバルブ２０７によって防止されている。バルブ２０７は、任意の好適なバルブ又はバルブの組合せであってもよく、たとえば、限定することなく、パージバルブ、ソフトパージバルブ、三方バルブである。燃焼器が、気体燃料の燃焼に又は液体燃料システム１０２が動作していない任意の時点に切り換えられたときに、液体燃料システム１０２を、バルブ２０７の１以上を選択的に開くことによってパージしてもよい。パージングには、加圧流体を液体燃料システム１０２を通して送ることが含まれている。加圧流体は、ろ過器を通って、汚染物質を取り除き、汚染物質に敏感な構成部品を始動及び稼働破片から保護することができる。燃焼器が液体燃料の燃焼に切り換えられたときに、求められる排出に基づいて水噴射ノズル２０６を開けることによって、水噴射システム内の水が噴射される。
【００１８】
図２は、パージ及び液体燃料霧化システム２００（たとえば、ＣＯ2パージ及び液体燃料霧化システム）の典型的な実施形態を示す。パージ及び液体燃料霧化システム２００は、液体燃料及び／もしくは水を流し出すように構成され、１以上のノズルの連続冷却をもたらすように構成され、ガスタービン圧縮機及び霧化空気圧縮機を用いずに液体燃料を霧化するように構成され、又はそれらの組合せである。パージシステム２００の典型的な実施形態は、第１のノズル（たとえば、液体燃料ノズル２１９）と流体連絡する液体噴射システム、第２のノズル（たとえば、水噴射ノズル２０６）と流体連絡する水噴射システム、液体燃料霧化システム（たとえば、霧化ノズル１２０）及び多段圧縮システム２０２を備えている。
【００１９】
多段圧縮システム２０２は、排出物取り扱いシステム（たとえば炭素捕捉システム）と流体連絡しているか又はその一部である。排出物取り扱いシステムは、ストリーム（たとえば、ＣＯ2ストリーム２０８）を圧縮及び／又は隔離して、多段圧縮システム２０２にストリームを与えるように構成することができる。多段圧縮システム２０２では、流体（たとえば、捕捉されたＣＯ2）を複数の段で圧縮して、流体圧力を、流体を液相に転化させるための臨界超過レベルまで上げる。多段圧縮システム２０２は、各圧縮段の後に圧縮流体温度を所定のレベルに維持する中間冷却器（たとえば、第１の多段中間冷却器２１０、第２の中間冷却器２１２など）を備えている。多段圧縮システム２０２は、加圧流体の一部を、第１段及び第２段から、１以上のバルブ２０７を通して、液体燃料ノズル２１９、水噴射ノズル２０６、気体燃料ノズル２０５及び霧化ノズル１２０まで、ガスタービン動作モードに基づいて、それぞれ送る。加圧流体は、空気、ＣＯ2、又は任意の好適な不燃性の流体であってもよい。加圧流体が本質的にＣＯ2からなる一実施形態では、ガスタービン内の膨張性フローによってガスタービンの出力が増加する。多段圧縮システム２０２は、バルブ２０７と流体連絡していて、バルブ２０７に連続圧力を与えることによって、液体燃料ノズル２１９から液体燃料を受け取るように配設及び配置された燃焼器から燃焼生成物が逆流することが防止される。
【００２０】
一実施形態では、多段圧縮システム２０２は炭素捕捉システムの一部である。炭素捕捉システムでは、ＣＯ2を分離した後に、多段圧縮システム２０２にＣＯ2ストリーム２０８として導入する。多段圧縮システム２０２では、ＣＯ2は、第１の多段圧縮機（たとえば、低圧圧縮機２０９）によって圧縮され、第１の多段中間冷却器２１０によって冷却され、第２の多段圧縮機（たとえば、中圧圧縮機２１１）を通って送られて、所定の圧力及び温度を有する第１のストリーム２１４が形成される。第１のストリーム２１４の一部は、第１のアキュームレータ２１５へ、及び／又はバルブ２０７の１以上へ送られて、液体燃料のパージング及び霧化を、１以上のバルブ２０７の選択的な開閉に基づいて行なうことができるようになっている。第１のアキュームレータ２１５は、多段圧縮システム２０２が故障した場合に加圧流体の連続的な供給を与える。第１のストリーム２１４の残りの部分は、第２の多段中間冷却器２１２及び第３の圧縮機（たとえば、高圧圧縮機２１３）を通して送られて、所定の温度及び圧力を有する第２のストリームが形成される。第１のストリーム２１４の圧力は第２のストリーム２１６の圧力よりも低い。第２のストリーム２１６の一部は、第２のアキュームレータ２１７に及び／又はバルブ２０７の１以上に送られる。第２のストリーム２１６の残りの部分は、さらなる多段中間冷却器及び圧縮機を通して送られて、臨界超過のストリーム２１８が形成される。任意の好適な数の圧縮機及び／又は中間冷却器を用いてもよい。同様に、圧縮機及び／又は中間冷却器の前、後、又は間に設けられたさらなる圧縮機を用いてもよい。一実施形態では、多段圧縮システム２０２を出るＣＯ2は、所定の圧力（たとえば、その臨界超過圧力又は約２２１５ｐｓｉａ）である。圧力が増加することによってＣＯ2が液化する場合がある。臨界超過のストリーム２１８として多段圧縮システム２０２を出るＣＯ2を、貯蔵又は輸送してもよい。一実施形態では、液体燃料システム１０２及び／又はパージシステム２００には、パージ圧縮機がない。或いは、備えているパージ圧縮機に対する要求を緩和することによって、全体的効率を向上させることができる。
【００２１】
第２のストリーム２１６からの加圧流体は、第１のストリーム２１４からの加圧流体よりも圧力が大きい。加圧流体は、１以上のバルブ２０７によって選択的に送られる。バルブ２０７をコントローラ又は手動で調整して、加圧流体を液体燃料システム１０２に送ることができる。同様に、ノズルに送る第１のストリーム２１４からの加圧流体と第２のストリーム２１６からの加圧流体との比率を、調整することができる。この調整性によって、温度及び／又は圧力を、コントローラからの信号又は手動の決定に基づいて、所定の温度及び／又は所定の圧力まで増加及び減少させることができる。バルブ２０７の選択的な開閉に応じて、第１の加圧流体ストリーム２１４は、気体燃料動作中に、液体燃料もしくは気体燃料マニフォールド及び／又はノズルをパージする。同様に、第２の加圧流体ストリーム２１６は、液体燃料動作中に液体燃料を霧化する。
【００２２】
加圧流体を、液体燃料を霧化通路１２０内に霧化するために送ってもよい。一実施形態では、流量を、温度及び圧力の調整と同様の方法で調整することによって、液体燃料の霧化を、霧化通路１２０内の圧力に基づいて増加又は減少させる。一実施形態では、加圧流体によって、液体燃料システム１０２及び／又はパージシステム２００を、霧化空気圧縮機が無いようにすることができる。或いは、備えている霧化空気圧縮機に対する要求を緩和することによって、全体的効率を向上させることができる。
【００２３】
コントローラによって、液体燃料システム１０２、気体燃料システム２０３、多段圧縮システム２０２、本明細書で開示される任意の他の構成部品、任意の他の好適な構成部品、又はそれらの組合せの動作パラメータを調整することができる。これらの調整によって、プロセスにおけるストリーム又はストリームの部分の温度、圧力、流量、パワー出力、又は任意の他の好適な特性を調整することができる。
【００２４】
液体燃料システム１０２及び気体燃料システム２０３のパージングを、多段圧縮システム２０２とともに動作する任意の好適なパージシステムによって行なうことができる。一実施形態では、システムは、第１のストリーム２１４、第２のストリーム２１６及び／又は他のストリームを、１以上の三方バルブを用いて制御することを伴う。別の実施形態では、図３に示すように、逆止め弁、マルチポートバルブ及び／又は調整オリフィスを用いる。たとえば、液体燃料パージシステム１０４は、加圧流体（たとえば、ＣＯ2）を液体燃料システム１０２の液体燃料ノズル２１９を通して吹いて、液体燃料をパージし、実質的に連続的な冷却液の流れを液体燃料ノズル２１９に与える。調整オリフィス１３２は、加圧流体の流れを測定する。加圧流体は、配管１３０、ろ過器１６２、Ｔ字管１３７を通して送られる。Ｔ字管１３７では、加圧流体が、液体燃料パージシステム１０４と水パージシステム１２６（水噴射ノズル２０６を備える）との間で分割される。液体燃料パージマルチポートバルブ１３８によって、昇圧圧力加圧流体が液体燃料ノズル２１９へ送られる。マルチポートバルブ１３８は、ソレノイド１３９によって制御され、ソレノイド１３９はコントローラによって操作される。各燃焼室において、エンドカバー逆止め弁１４７によって、液体燃料がパージシステム１０４内に逆流することが防止される。
【００２５】
液体燃料逆止め弁１６５（各燃焼室に対して少なくとも１つ）によって、パージ動作中に液体燃料供給１７２が隔離され、加圧流体が液体燃料システム１０２内に逆流することが防止される。加圧流体が液体燃料システム１０２に入ることを防止することによって、逆止め弁１６５は、燃料供給との空気燃料インターフェースを減らすか又はなくす。
【００２６】
液体燃料パージシステム１０４が開始されると、ソレノイドバルブ１３９によって、ソレノイド制御されたソフトパージバルブ１４０が、マルチポートバルブ１３８と同時に開く。ソフトパージバルブ１４０の開口部比は、作動ライン中の絞り弁によって機械的に制御することができる。ソフトパージバルブ１４０は、比較的長い時間に渡って開いて、パージシステム配管１４２及び液体燃料ノズル２１９から燃焼器１１８内に噴出される残りの液体燃料の燃焼によって生じる負荷過渡を最小限にする。ソフトパージバルブ１４０は、昇圧圧力加圧流体の流れを減らす低流量バルブである。ソフトパージバルブが所定の時間だけ開いた後に、高流量パージバルブ１４４が開いて、昇圧加圧流体が、適切なシステム圧力比で流れることができる。高流量パージバルブは、双方向のボールバルブ１４４であってもよい。
【００２７】
加えて、加圧流体が、別の調整オリフィス１３３を通って、霧化空気マニフォールド１３４に及び液体燃料ノズル２１９の霧化空気通路１２０に与えられる。霧化空気からの加圧流体は、ろ過器１６２を通って、加圧流体から汚染物質を取り除き、汚染物質に敏感な構成部品を始動及び稼働破片から保護する。
【００２８】
本発明のある特定の特徴及び実施形態のみについて図示し説明してきたが、多くの変更及び変形（たとえば、種々の構成要素のサイズ、寸法、構造、形状及び比率、パラメータ（たとえば、温度、圧力など）の値、取り付け方法、材料、色彩、配向などの使用方法の変化）が、請求項に列挙される主題の新しい教示及び優位性から実質的に逸脱することなく、当業者に想起され得る。任意のプロセス又は方法ステップの順序又は手順を、代替的な実施形態により変更又は再順序付けしてもよい。したがって、当然のことながら、添付の請求項は、本発明の真の趣旨に含まれるすべての変更及び変形を網羅することが意図されている。さらに、典型的な実施形態の簡潔な記載が得られるように、実際の具体化のすべての特徴については説明していない場合がある（すなわち、本発明を実施する現時点で考えられるベストモードに関係のないもの、又は請求に係る発明を可能にするのに関係のないもの）。当然のことながら、任意のこのような実際の実施を起こす際には、任意のエンジニアリング又はデザインプロジェクトの場合と同様に、実施に固有の多くの決定を行なう場合がある。このような開発努力は、複雑で時間がかかる場合があるが、それでも、本開示の利益を受ける当業者にとっては、必要以上の実験作業を行なうことなく、デザイン、作製及び製造の日常的な取り組みであろう。
【図１】
0006018381.tif 000002
【図２】
0006018381.tif 000003
【図３】
0006018381.tif 000004